(57)【要約】  【課題】先に補充された衛生紙と後から補充された衛生紙とを連続的に引き出すことができる衛生紙供給装置及び衛生紙の繰り出し方法を提供する。  【解決手段】衛生紙Ｐを九十九折状に折り重ねた積層体ＰLを収納可能な積層体収納部２１を設け、積層体収納部２１の下側に磁化手段を配置し、衛生紙Ｐを積層体ＰLの下側からその長さ方向と平行に磁化手段４を通過させながら順次引き出し、磁化手段４において衛生紙Ｐの末端部に設けられている磁性層Ｍeを磁化させ、この磁化された磁性層Ｍeと、あとから積層体収納部２１に補充された積層体ＰLの衛生紙Ｐの先端部に設けられている磁性層Ｍfとを吸着させて、先に補充された積層体ＰLとあとから補充された積層体ＰLの衛生紙Ｐとを連続的に繰り出す。【選択図】図１
2008295919.tif 000002
【特許請求の範囲】
【請求項１】
収納している連続する衛生紙を順次繰り出すことができる衛生紙供給装置において、
前記衛生紙を九十九折状に折り重ねた積層体を収納可能な積層体収納部の下側に磁化手段が配置されて、前記衛生紙は前記積層体の下側からその長さ方向と平行に前記磁化手段を通過させながら順次引き出され、前記磁化手段において前記衛生紙の末端部に設けられている磁性層が磁化され、この磁化された磁性層と、あとから前記積層体収納部に補充された前記積層体の前記衛生紙の先端部に設けられている前記磁性層とが吸着して、先に補充された前記積層体とあとから補充された前記積層体の前記衛生紙が連続的に繰り出されることを特徴とする衛生紙供給装置。
【請求項２】
前記磁化手段が永久磁石であることを特徴とする請求項１記載の衛生紙供給装置。
【請求項３】
前記磁化手段が電磁石であることを特徴とする請求項１記載の衛生紙供給装置。
【請求項４】
前記衛生紙を前記積層体から引き出して繰り出すことができる衛生紙繰出手段が設けられており、この衛生紙繰出手段は前記衛生紙を表裏両面から挟み込む一対のローラを備え、これらのローラは互いに逆方向に回転し、一方の前記ローラの外周面には裁断刃が半径方向に突出して設けられており、他方の前記ローラの外周面には前記裁断刃の受け部が凹状に設けられていることを特徴とする請求項１〜３のいずれかに記載の衛生供給容装置。
【請求項５】
指定の枚数だけ裁断されるように前記一対のローラの回転を制御する回転制御部が設けられていることを特徴とする請求項４記載の衛生紙供給装置。
【請求項６】
前記各ローラに一体回転可能に取り付けられているギアを介して、前記一対のローラの同期がとられていることを特徴とする請求項４又は５記載の衛生紙供給装置。
【請求項７】
衛生紙供給装置に収納している衛生紙を繰り出す方法であって、
前記衛生紙を九十九折状に折り重ねた積層体を収納し、同積層体の下側から前記衛生紙をその長さ方向と平行な方向に引き出す一方、前記積層体の前記衛生紙の末端部と、あとから補充した前記積層体の前記衛生紙の先端部とを結合させて、先に補充した前記積層体の前記衛生紙とあとから補充した前記積層体の前記衛生紙とを連続的に繰り出すことを特徴とする衛生紙の繰り出し方法。
【請求項８】
先に補充した前記積層体の前記衛生紙の前記末端部と、あとから補充した前記積層体の前記衛生紙の前記先端部とを接着剤によって結合することを特徴とする請求項７記載の衛生紙の繰り出し方法。
【請求項９】
先に補充した前記積層体の前記衛生紙の前記末端部と、あとから補充した前記積層体の前記衛生紙の前記先端部とを、前記末端部または前記先端部の一方に切り目を入れて形成した係止部を、他方に切り目を入れて形成した係合部に係止させることによって結合することを特徴とする請求項７記載の衛生紙の繰り出し方法。
【請求項１０】
前記積層体の前記衛生紙の先端部と末端部とに磁性層を設け、前記衛生紙を前記積層体の下側から磁化手段を通過させながら引き出して、前記衛生紙の前記末端部に設けた前記磁性層を磁化させ、同磁性層とあとから補充した前記積層体の前記衛生紙の前記先端部に設けた前記磁性層とを吸着させることにより、先に補充した前記積層体の前記衛生紙の前記末端部とあとから補充した前記積層体の前記衛生紙の前記先端部とを結合することを特徴とする請求項７記載の衛生紙の繰り出し方法。
【請求項１１】
前記衛生紙の末端部表面に磁性粉を付着させることによって前記磁性層を形成することを特徴とする請求項１０記載の衛生紙の繰り出し方法。
【発明の詳細な説明】
【技術分野】
【０００１】
本発明は、トイレットペーパー、ティッシュペーパ、ペーパータオル等の衛生紙を収納し供給する衛生紙供給装置と衛生紙を繰り出す方法とに関する技術である。
【背景技術】
【０００２】
一般的にトイレットペーパーは、段ボール等の厚紙で形成された筒型の芯（直径約４０ｍｍ）に巻き付けられているロール状のものや（直径約１００ｍｍ×幅約１２０ｍｍ）、芯を設けることなくロール状に巻いたものなどがある。そして、ほとんどのトイレットペーパーには、適当な長さで切り離し易いようにするため、ミシン目が所定の間隔で設けられている。トイレットペーパーは、通常、芯の内側や中心部の隙間に軸を挿通した状態でホルダに装着され、使い始めは糊付けによって外周面に留められている先端部を剥し、適当な長さを引き出したあとにミシン目でカットして使用されている。ミシン目が設けられていないトイレットペーパーの場合は、ホルダに設けられている蓋の縁に沿ってカットし使用されている。そして、装着されているトイレットペーパーのロールを使い切ったときには、ホルダの軸を取り外して新しいロールと交換する。
【０００３】
このように使用されているトイレットペーパーは形状が円柱型になっているため、複数のロールをその幅方向の向きを同じにして詰めて並べたとしても、ロールとロールとの間に大きな隙間が生じるので、輸送コストが割高になる。まして、芯を設けたものになると、ロールの中にも大きな空間ができるため、輸送の際の積載効率がより一層悪くなり、積載量に対する輸送コストが大幅にアップしてしまう。
【０００４】
そこで、このような不都合をなくす目的として、トイレットペーパーを九十九折状に折り重ねた状態で収納し、このトイレットペーパーの積層体からトイレットペーパーを順次繰り出す化粧ペーパー装置が提案されている。この化粧ペーパー装置は、ケーシング内の棚の上に載せた積層体の上側からトイレットペーパーが引き出され、積層体の積層方向と略平行に配置されたガイド板に沿ってケーシング底部にあるカッター装置へと誘導される。そして、カッター装置で適当な長さにカットされたあと、取出口の傍にある受け皿に落とされるようになっている。棚の上のトイレットペーパーは、カッター装置の棚側に配置されている駆動ローラと従動ローラとにより狭持され、自動的にカッター装置に送られる仕組みになっている。
【特許文献１】実開平４−３２９３９号公報（第８頁、第１図）
【発明の開示】
【発明が解決しようとする課題】
【０００５】
しかしながら、上記化粧ペーパー装置は、トイレットペーパーを折り重ねて積層体とすることで、ロール状と比較して積載効率を良くすることができるものの、使用中のトイレットペーパーの積層体を使い切るまでは新しいトイレットペーパーの積層体の補充が行えない。また、新しいトイレットペーパーの積層体を補充した場合には、トイレットペーパーの先端部を引き出して駆動ローラと従動ローラとの間を通し、トイレットペーパーが自動的に送られるようにする必要があり、このようなトイレットペーパーのセットをトイレットペーパーを使い切るごとに行わなければならないため非常に手間を要する。
【０００６】
そこで本発明は、先に補充された衛生紙と後から補充された衛生紙とを連続的に引き出すことができる衛生紙供給装置及び衛生紙の繰り出し方法の提供を目的としている。
【課題を解決するための手段】
【０００７】
請求項１記載の衛生紙供給装置は、収納している連続する衛生紙を順次繰り出すことができる衛生紙供給装置において、前記衛生紙を九十九折状に折り重ねた積層体を収納可能な積層体収納部の下側に磁化手段を配置し、前記衛生紙を前記積層体の下側からその長さ方向と平行に前記磁化手段を通過させながら順次引き出し、前記磁化手段において前記衛生紙の末端部に設けられている磁性層を磁化させ、この磁化された磁性層と、あとから前記積層体収納部に補充された前記積層体の前記衛生紙の先端部に設けられている前記磁性層とを吸着させて、先に補充された前記積層体とあとから補充された前記積層体の前記衛生紙とを連続的に繰り出すことを特徴としている。
【０００８】
この請求項１記載の衛生紙供給装置によると、前記積層体収容部に収納されている前記積層体の下側から、前記衛生紙を順次引き出す構成になっており、且つ、先に補充されている前記積層体の前記衛生紙と、あとから補充されている前記積層体の前記衛生紙とが、連続的に繰り出される構成になっているため、前記積層体収納部に収納されている前記積層体を使い切る前に、新しい前記衛生紙の前記積層体を補充し継続的に使用することができる。また、あとから補充した前記積層体の前記衛生紙のセットが不要になる。
【０００９】
請求項２記載の衛生紙供給装置は、磁化手段を永久磁石とすることを特徴としている。この請求項２記載の衛生紙供給装置によると、前記磁化手段の構造が簡単になり、装置の簡素化を図ることができる。
【００１０】
請求項３記載の衛生紙供給装置は、磁化手段を電磁石とすることを特徴としている。この請求項３記載の衛生紙供給装置によると、磁力の調節を行うことができるため、磁性層を磁化する強さを調整することができる。
【００１１】
請求項４記載の衛生紙供給装置は、衛生紙を積層体から引き出して繰り出すことができる衛生紙繰出手段を設け、この衛生紙繰出手段は前記衛生紙を表裏両面から挟み込む一対のローラを具備させて、これらのローラは互いに逆方向に回転するように構成し、一方の前記ローラの外周面には裁断刃を半径方向に突出して設け、他方の前記ローラの外周面には前記裁断刃の受け部を凹状に設けることを特徴としている。
【００１２】
この請求項４記載の衛生紙供給装置によると、前記積層体の前記衛生紙を繰り出しながら所定の長さに裁断することができる。つまり、繰り出される前記衛生紙が前記一対のローラ間に巻き込まれて通過する際に、前記裁断刃と前記受け部とが噛み合うことで前記衛生紙が裁断される。なお、前記裁断刃及び前記受け部は複数箇所に設けることもできる。
【００１３】
請求項５記載の衛生紙供給装置は、指定の枚数だけ裁断されるように前記一対のローラの回転を制御する回転制御部を設けることを特徴としている。この請求項５記載の衛生紙供給装置によると、所定の長さに裁断された前記衛生紙を、必要な枚数だけ自動的に供給することができる。
【００１４】
請求項６記載の衛生紙供給装置は、各ローラに一体回転可能に取り付けたギアを介して、前記一対のローラの同期をとることを特徴としている。この請求項６記載の衛生紙供給装置によると、伝動ベルト等に比較して少ない部品点数で前記一対のローラを同期させることができる。
【００１５】
請求項７記載の衛生紙の繰り出し方法は、衛生紙供給装置に収納している衛生紙を繰り出す方法であって、前記衛生紙を九十九折状に折り重ねた積層体を収納し、同積層体の下側から前記衛生紙をその長さ方向と平行な方向に引き出す一方、前記積層体の前記衛生紙の末端部と、あとから補充した前記積層体の前記衛生紙の先端部とを結合させて、先に補充した前記積層体の前記衛生紙とあとから補充した前記積層体の前記衛生紙とを連続的に繰り出すことを特徴としている。
【００１６】
この請求項７記載の衛生紙の繰り出し方法によると、先に補充した前記積層体の前記衛生紙と、あとから補充した前記積層体の前記衛生紙とを連続的に繰り出すことができるので、先に補充した前記積層体の前記衛生紙を使い切る前に前記衛生紙を補充し連続的に使用することができる。そして、あとから補充した前記積層体の前記衛生紙をセットする手間を省くことができる。
【００１７】
請求項８記載の衛生紙の繰り出し方法は、先に補充した積層体の衛生紙の末端部と、あとから補充した前記積層体の前記衛生紙の先端部とを接着剤によって結合することを特徴としている。この請求項８記載の衛生紙の繰り出し方法によると、前記衛生紙の前記末端部と前記先端部とを手軽に結合することができる。
【００１８】
請求項９記載の衛生紙の繰り出し方法は、先に補充した積層体の衛生紙の末端部と、あとから補充した前記積層体の前記衛生紙の先端部とを、前記末端部または前記先端部の一方に切り目を入れて形成した係止部を、他方に切り目を入れて形成した係合部に係止させることによって結合することを特徴としている。この請求項９記載の衛生紙の繰り出し方法によると、接着剤等の結合材料を省略した結合が可能になる。
【００１９】
請求項１０記載の衛生紙の繰り出し方法は、積層体の衛生紙の先端部と末端部とに磁性層を設け、前記衛生紙を前記積層体の下側から磁化手段を通過させながら引き出して、前記衛生紙の前記末端部に設けた前記磁性層を磁化させ、同磁性層とあとから補充した前記積層体の前記衛生紙の前記先端部に設けた前記磁性層とを吸着させることにより、先に補充した前記積層体の前記衛生紙の前記末端部とあとから補充した前記積層体の前記衛生紙の前記先端部とを結合することを特徴としている。
【００２０】
この請求項１０記載の衛生紙の繰り出し方法によると、前記衛生紙の前記積層体を補充すれば、前記衛生紙の前記末端部と前記先端部とが自動的に結合し、先に補充した前記積層体の前記衛生紙に続いてあとから補充した前記積層体の前記衛生紙とが連続的に繰り出される。
【００２１】
請求項１１記載の衛生紙の繰り出し方法は、衛生紙の末端部表面に磁性粉を付着させることによって磁性層を形成することを特徴としている。この請求項１１記載の衛生紙の繰り出し方法によると、厚みを抑えた前記磁性層を形成することができる。前記磁性層は、例えば、磁性塗料や磁性インクなどを用いて形成することができる。
【発明の効果】
【００２２】
請求項１にかかる衛生紙供給装置は、積層体収容部の衛生紙を使い切る前に衛生紙の補充が行えるため、不用意に衛生紙を切らすことがなく、また、積層体収容部に衛生紙の積層体を補充するだけで、先に補充した衛生紙の積層体に引き続きあとから補充した衛生紙の積層体を連続して使うことができるため、扱い易く便利な衛生紙供給装置を提供することができる。
【００２３】
請求項２にかかる衛生紙供給装置は、構造が簡素化されるため設計、製造が容易になり、コストを抑えた衛生紙供給装置の提供が可能になる。
【００２４】
請求項３にかかる衛生紙供給装置は、コイルに流す電流を調節することにより磁力を変化させることができるため、磁性層を適当な強さの磁力を有するように磁化させることができる。
【００２５】
請求項４にかかる衛生紙供給装置は、衛生紙が所定の長さに裁断されつつ繰り出されるため、使用者が自ら裁断する手間のかからない衛生紙供給装置の供給が可能になる。また、        請求項５にかかる衛生紙供給装置にようにすれば、指定する枚数の衛生紙が自動的に裁断されて供給されるため、より一層便利な衛生紙供給装置の供給が可能になる。
【００２６】
請求項６にかかる衛生紙供給装置は、構造を簡素化することができるため設計、製造が容易になり、コストを抑えた衛生紙供給装置を提供することが可能になる。
【００２７】
請求項７にかかる衛生紙の繰り出し方法は、衛生紙を継続的に供給することが可能になり、衛生紙を九十九折状に折り重ねた状態で収納する従来の衛生紙供給装置のように衛生紙を不用意に切らすことがない。
【００２８】
請求項８にかかる衛生紙の繰り出し方法は、衛生紙の積層体を補充する際の手間を軽減することができる。
【００２９】
請求項９にかかる衛生紙の繰り出し方法は、接着剤等を用いないので使用済み衛生紙の処理が容易になる。
【００３０】
請求項１０にかかる衛生紙の繰り出し方法は、積層体収容部に衛生紙の積層体を補充するだけで、先に補充した衛生紙の積層体に引き続いてあとから補充した衛生紙の積層体を連続して使用することができるため、衛生紙の積層体を補充する際の手間を省くことができる。
【００３１】
請求項１１にかかる衛生紙の繰り出し方法は、厚みを抑えた磁性層を衛生紙表面に形成することができるため、衛生紙の繰り出しをスムーズに行うことができる。
【発明を実施するための最良の形態】
【００３２】
以下、本発明にかかる衛生紙の繰り出し方法及び衛生紙供給装置の実施形態について、図１〜４を参照しつつ説明する。図１は衛生紙供給装置１の内部構造を示す概念図である。図１において符号２はケーシングを示し、符号３は衛生紙Ｐを下から支持する受け板を示し、符号４は磁化手段（本実施形態では電磁石を用いている）を示し、符号５は衛生紙Ｐを繰り出す一対のローラからなる繰出部を示している。そして、図２は繰出部５を示す斜視図であり、図３はケーシング２の外形形状を示す斜視図である。
【００３３】
ケーシング２は角形の箱体で、高さや幅に比べて奥行きを小さくした形状になっている。ケーシング２内は、側板２ａ・２ｂに略平行で且つ底板２ｃとの間に間隔を設けて配置された仕切板２ｄによって二つに区画されており、側板２ａ側の区画に繰出部５が設けられており、側板２ｂ側の区画が衛生紙収納部２１になっている。
【００３４】
上記の受け板３は衛生紙収納部２１の底部に、底板２ｃと平行で、且つ、仕切板２ｄとの間に隙間を設けた状態で配置されている。そして、受け板３の側板２ｂとの間には、磁化手段４としての電磁石が配置されている。なお、電磁石の代わりに永久磁石を用いることもできる。磁化手段４に永久磁石を用いると、電気配線などが不要になり内部構造を簡素化することができる。
【００３５】
繰出部５の一対のローラ５ａ・５ｂはそれぞれ、軸方向をケーシング２の奥行き方向と一致させた状態で支持されて、受け板３の延長上に位置する衛生紙Ｐの経路を挟んで互いに対峙する位置に配置されている。一対のローラ５ａ・５ｂのうち上側のローラ５ａの外周面には、衛生紙Ｐを裁断するための細長い刃が、前記軸方向に沿って設けられている（図５）。この裁断刃５ｃは衛生紙Ｐよりもやや幅広で、半径方向に突出した状態で取り付けられている。また、下側のローラ５ｂの外周面には、裁断刃５ｃと当接する溝状の受け部５ｄが、その長さ方向と前記軸方向とが一致するように形成されている。なお、裁断刃５ｃ及び受け部５ｄは複数設けることもでき、裁断刃５ｃと受け部５ｄとの数が同等である必要もない。
【００３６】
このように、切断刃５ｃ及びその受け部５ｄがそれぞれ設けられている一対のローラ５は、切断刃５ｃが取り付けられているローラ５ａが図示しない駆動装置によって駆動され、各ローラ５ａ・５ｂの軸にそれぞれ一体回転可能に固定されているギア５ｅ・５ｆによって、受け部５ｄが設けられているローラ５ｂに駆動力が伝達されるとともに、裁断刃５ｃと受け部５ｄとが噛み合うように同期が取られている。
【００３７】
一対のローラ５に面したケーシング２の側板２ａには開口部が形成されて、衛生紙Ｐの繰出口６が設けられている（図３）。そして、側板２ａの外面には繰出口６の下側に、繰出口６から繰り出された衛生紙Ｐを受けるための受け皿７が設けられている。そして、ケーシング２の天板２ｅには、衛生紙収納部２１の上方に位置する範囲を開閉可能にして衛生紙供給口８が設けられている。また、ケーシング２の前板２ｆは開閉可能になっており、内部のメンテナンスが容易に行なえる構造になっている。
【００３８】
ケーシング２の前板２ｆには、収納されている衛生紙Ｐの残量を確認することができる縦長の点検窓２ｇが設けられるとともに、繰出部５の一対のローラ５ａ・５ｂを駆動させることができる操作ボタン９が設けられている。この操作ボタン９が設けられている操作パネル１０には、駆動装置の回転制御部１０が組み込まれており、操作ボタン９が押されと、一対のローラ５を一回転させる制御を行う。なお、一対のローラ５の回転は、例えば、発光ダイオードやレーザー光等の反射光を受光する反射光受光方式等によって検知させることができる。また、ケーシング２の前板２ｆには、開閉し易いように取っ手２ｈが設けられている。さらに、前板２ｆには携帯電話や車のキー、眼鏡、化粧道具などを置くことができる棚２ｉが設けられている。
【００３９】
次に、衛生紙供給装置１の作用について説明する。ケーシングの天板２ｅに設けられている衛生紙供給口８から、衛生紙Ｐ（本実施形態では衛生紙としてトイレットペーパーを用いており、以下トイレットペーパーＰとも表す）を衛生紙収納部２１に収納する。このトイレットペーパーＰは九十九折状に折り重ねられた積層体ＰLになっており（図１）、その幅方向がケーシング２の奥行き方向と一致する向きにして受け３板上に載置する。
【００４０】
トイレットペーパーＰには、図４に示すように先端部及び末端部の表面に磁性層Ｍf・Ｍeが設けられている。磁性層Ｍf・Ｍeは、鉄などの強磁性体の粉末を結合剤樹脂に、硬化剤等の他の物質と共に混合し、その混合物をトイレットペーパーＰの表面に塗布することによって形成されている。また、ここでいう先端部及び末端部とは、トイレットペーパーＰを引き出す側の端部を先端部とし、その反対側の端部を末端部としている。このトイレットペーパーＰは積層体ＰLの下側から引き出されるため、先端部は積層体ＰLの底面に位置し、末端部は積層体ＰLの上面に位置している。このようにして、衛生紙収納部２１に収納されているトイレットペーパーＰの積層体ＰLは、一番下の段がケーシング２の側板２ａの方向に折り返された状態になっており、一番上の段がケーシング２の側板２ｂの方向に折り返された状態になっている。
【００４１】
次に、ケーシング２の前板２ｆを開き、積層体ＰLの下側にあるトイレットペーパーＰの先端部を引き出して一対のローラ５の間に通し、再びケーシング２の前板２ｆを閉じれば、トイレットペーパーＰを繰り出す準備は完了する。
【００４２】
そして、ケーシング２の外面に設けた操作ボタン９を押して駆動装置を駆動させると、トイレットペーパー２をケーシング２の前板の繰出口６から繰り出しながら一対のローラ５が回転する。こうして一対のローラ５が回転し、一方のローラ５ａの裁断刃５ｃと他方のローラ５ｂの受け部５ｄとが噛み合う際にトイレットペーパーＰが裁断され、裁断されたトレットペーパーＰは、ケーシング２の側板２ａの繰出口６から繰り出されて受け皿７に受けられる。
【００４３】
なお、上記の場合、操作ボタン９を押すごとにトイレットペーパーＰが裁断されるが、あらかじめ複数の枚数を切断できるような操作ボタンを設けておき、操作ボタンを一回押せば指定した枚数が裁断されるようにすることもできる。このように、ボタン操作によってトイレットペーパーＰの供給が行えるためカットする必要がなく、老人、子供、病人、身体障害者等にとっても使い易い。なお、ケーシング２の前板２ｆには、温水洗浄便座用の操作パネルや便器洗浄操作ボタン等を設けて、トイレルーム内の装置をシステム化することもできる。
【００４４】
また、手動で一対のローラ５を回転できるようにすれば、駆動装置や電気配線等が不要になり、構造を簡素化することができるし、駆動装置と併用して停電や故障時の予備の繰出装置として使用することができる。
【００４５】
衛生紙収納部２１のトイレットペーパーＰが少なくなれば、新しいトイレットペーパーＰの積層体ＰLを衛生紙供給口８から衛生紙収容部２１に補充する。この積層体ＰLは収納されている積層体ＰLと同様にして、収納されている積層体ＰLの上に積み重ねる（図５（ａ））。そして、下側の積層体ＰLのトイレットペーパーＰが減ると、末端部に形成されている磁性層Ｍeが磁化手段４に接近するため、磁化されて永久磁石化する（図５（ｂ））。このように、磁性層Ｍeが永久磁石化したトイレットペーパーＰの末端部が繰出口６の方向へ引かれると、あとから補充された積層体ＰLのトイレットペーパーＰの先端部とすれ違う際、この先端部に設けられている磁性層Ｍfを、永久磁石化した末端部の磁性層Ｍeが吸着する。これにより、先に収納されていた積層体ＰLのトイレットペーパーＰに続いて、補充した積層体ＰLのトイレットペーパーＰが引き出され、一対のローラ５で裁断されながら繰出口６から繰り出される（図５（ｃ））。
【００４６】
このように、新しいトイレットペーパーＰの積層体ＰLを補充した際、一対のローラ５の間を通すなどのセットの手間を要せず、衛生紙収納部２１に収納したトイレットペーパーＰの積層体ＰLを連続的に繰り出して使用することができる。
【００４７】
また、トイレットパーパーＰは九十九折状に折り重ねられた積層体ＰLになっているため、ロールの場合に比べてコンパクトになり、全長の長いトイレットペーパーＰを衛生紙収納部２１に収納することができる。そして、従来のロールで使用されている芯が不要で資源の無駄遣いを防ぐことができるとともに、無駄な隙間が生じないように並べることができるので、輸送費や倉庫料等のコスト削減、ひいては人件費を抑えることができる。
【００４８】
上記の実施形態では、先に収納されている積層体ＰLのトイレットペーパーＰの末端部と、あとから補充された積層体ＰLのトイレットペーパーＰの先端部との結合が、磁性層Ｍeと磁性層Ｍfとの吸着により行われているが、図６（ａ）のように糊Ｂを用いて接着することもできるし、図６（ｂ）、（ｃ）のように、先に収納されている積層体ＰLのトイレットペーパーＰの末端部に設けた係止部１１を、あとから補充された積層体ＰLのトイレットペーパーＰの先端部に設けた係合部１２に係止することによって結合することもできる。係止部１１は、トイレットペーパーＰの末端部に、切り目を長さ方向と幅方向とに入れてＴ字型にカットすることにより形成され、係合部１２は、トイレットペーパーＰの先端部の幅方向両側に、幅方向に平行な切り目を入れることにより形成されたものある。そして、トイレットペーパーＰの末端部と先端部とを重ねた状態にして、係止部１１が先端部の上側になるようにするとともに、係合部１２が末端部の下側になるようにする。こうして、係止部１１を係合部１２に係止させている。このようにすれば、磁性層や接着剤を使用しないので、下水処理場等でのトイレットペーパーの処理が容易になる。
【図面の簡単な説明】
【００４９】
【図１】図１は本発明にかかる実施形態の衛生紙供給装置の内部構造を示す下位略図。
【図２】図１における繰出手段の部分拡大斜視図。
【図３】図１に示す衛生紙供給装置のケーシングの外形形状を示す斜視図。
【図４】トイレットペーパーの積層体を示す斜視図。
【図５】図１に示す衛生紙供給装置からトイレットペーパーが繰り出される様子を示した説明図であり、（ａ）はトイレットペーパーの積層体が補充された状態、（ｂ）はトイレットペーパーの末端部の磁性層が磁化されるときの状態、（ｃ）は補充されたトイレットペーパーが引き出された状態を示している。
【図６】（ａ）はトイレットペーパーを糊によって結合している状態を示す概念図。（ｂ）はトイレットペーパーの末端部および先端部の平面図を示す部分拡大図。（ｃ）は（ｂ）において係止部を係合部に係止した状態を示している。
【符号の説明】
【００５０】
１          衛生紙供給装置
４          磁化手段
５          一対のローラ
５ｃ        裁断刃
５ｄ        受け部
５ｅ、５ｆ  ギア
１０        回転制御部
１１        係止部
１２        係合部
２１        積層体収納部
Ｂ          糊
Ｍf、Ｍe    磁性層
Ｐ          衛生紙
ＰL         積層体
【図１】
2008295919.tif 000003
【図２】
2008295919.tif 000004
【図３】
2008295919.tif 000005
【図４】
2008295919.tif 000006
【図５】
2008295919.tif 000007
【図６】
2008295919.tif 000008